(57)【要約】【課題】プリント時の待ち時間に音楽コンテンツを提供する画像プリントシステムを提供する。【解決手段】画像出力装置１０１は、プリント物の印刷中、プリント注文内容（プリント枚数、料金等）に応じて、モニタ画面２０１に音楽選択画面７００を表示し、利用者により複数の曲目７０８から選択された音楽をスピーカ２１１より流す。また、画像出力装置１０１は、プリント注文内容（プリント枚数、料金等）に応じて、ダウンロードボタン７０６により、流れている音楽を記録媒体１２３にダウンロードしたり、マイメロディ登録ボタン７０４により、気に入った音楽を登録し、次回利用時、マイメロディ再生ボタン７０５により、登録した音楽を再生する。【選択図】  図７
2004328438.tif 000002
【特許請求の範囲】
【請求項１】
画像データを入力する画像入力手段と、
前記画像データを印刷する印刷手段と、
前記印刷手段の印刷処理中に、音楽を提供する音楽提供手段と、
を具備することを特徴とする画像出力装置。
【請求項２】
画像データを入力する画像入力手段と、
前記画像データを印刷する印刷手段と、
前記印刷手段の印刷処理中に流れる音楽の音楽データを、記録媒体にダウンロードするダウンロード手段と、
を具備することを特徴とする画像出力装置。
【請求項３】
前記提供手段は、前記印刷手段の印刷内容に応じて、前記音楽を提供することを特徴とする請求項１記載の画像出力装置。
【請求項４】
前記ダウンロード手段は、前記印刷手段の印刷内容に応じて、前記音楽データをダウンロードすることを特徴とする請求項２記載の画像出力装置。
【請求項５】
前記印刷内容は、印刷枚数、印刷種別、料金等のいずれか少なくとも１つであることを特徴とする請求項３、または請求項４記載の画像プリントシステム。
【請求項６】
前記音楽は、プリント物の内容に合わせて、自動的に選択されることを特徴とする請求項１から請求項５までのいずれかに記載の画像出力装置。
【請求項７】
前記音楽データを、暗証番号を入力することにより登録する登録手段と、
次回利用時に、前記暗証番号を入力することにより、登録した前記音楽データを再生する再生手段と、を更に具備することを特徴とする請求項１から請求項６までのいずれかに記載の画像出力装置。
【請求項８】
課金を行う課金手段、を更に具備することを特徴とする請求項１から請求項７までのいずれかに記載の画像出力装置。
【請求項９】
前記入力手段は、記録媒体から前記画像データを読み取る記録媒体読取手段、原稿を走査して前記画像データを得る原稿読取り手段、被写体を撮像することにより前記画像データを得る撮像手段、のうちのいずれかであることを特徴とする請求項１から請求項８までのいずれかに記載の画像出力装置。
【請求項１０】
入力された画像データ、予め保持する画像データのうち少なくともいずれかを用いて画像を加工し、新しい別の画像データを作成する画像加工手段、を更に具備することを特徴とする請求項１から請求項９までのいずれかに記載の画像出力装置。
【請求項１１】
コンピュータを請求項１から請求項１０までのいずれかに記載の画像出力装置として機能させるプログラム。
【請求項１２】
コンピュータを請求項１から請求項１０までのいずれかに記載の画像出力装置として機能させるプログラムを記録した記録媒体。
【発明の詳細な説明】
【０００１】
【発明の属する技術分野】
本発明は、デジタルカメラで撮影した画像、スキャナで読込んだ画像、持参した記録媒体に記録されている画像データ、装置に予め保存してある画像等を合成編集してプリントできる画像出力装置等に関する。
【０００２】
【従来の技術】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録媒体や、既にプリントされた写真を持ちこんで、フレーム画像等を合成したりしてプリントする方法がある（デジタルフォトプリントシステム、例えば、［特許文献１］、［非特許文献１］参照。）。
【０００５】
【特許文献１】
特開２００２−４６３２４号公報（第１８頁段落番号［０１４５］、図５〜図１０）
【非特許文献１】
大日本印刷株式会社、”デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【０００６】
【発明が解決しようとする課題】
しかしながら、印刷処理には、プリンタ装置に関する処理、画像データのロード処理、画像データの転送処理等の種々の処理を必要とするため、相当の処理時間がかかるという問題点があり、特に、デジタルカメラで撮影された画像を記録した記録メディア等から、大量にプリント出力する場合、利用者は、プリントが全て終了するまで、長い時間待たなければならないという問題があった。
【０００７】
本発明は、以上の問題点に鑑みてなされたものであり、プリント時の待ち時間に音楽コンテンツを提供する画像プリントシステムを提供することを目的とする。
【０００８】
【課題を解決するための手段】
前述した目的を達成するために第１の発明は、画像データを入力する画像入力手段と、前記画像データを印刷する印刷手段と、前記印刷手段の印刷処理中に、音楽を提供する音楽提供手段と、を具備することを特徴とする画像出力装置である。
【０００９】
また、前記音楽データを、暗証番号を入力することにより登録する登録手段と、次回利用時に、暗証番号を入力することにより、登録した前記音楽データを再生する再生手段と、を具備することが望ましい。
前記音楽は、プリント物の内容に合わせて、自動的に選択されることが望ましい。
また、前記入力手段は、記録媒体から前記画像データを読み取る記録媒体読取手段、原稿を走査して前記画像データを得る原稿読取り手段、被写体を撮像することにより前記画像データを得る撮像手段、のうちのいずれかであることが望ましい。
また、入力された画像データ、予め保持する画像データのうち少なくともいずれかを用いて画像を加工し、新しい別の画像データを作成する画像加工手段を、更に具備することが望ましい。
また、課金を行う課金手段を、更に具備することが望ましい。
【００１０】
「記録媒体」は、スマートメディア、コンパクトフラッシュ（登録商標）カード（ＣＦカード）、ＳＤカード、メモリースティック、フロッピー（登録商標）ディスク、ＰＣカード、ＣＤ−ＲＯＭ等である。
「印刷内容」は、印刷枚数、印刷種別、印刷料金等のいずれか少なくとも１つである。
【００１１】
第１の発明では、画像データを入力し、画像データを印刷し、印刷処理中に、音楽を提供する。
【００１２】
第２の発明は、画像データを入力する画像入力手段と、前記画像データを印刷する印刷手段と、前記印刷手段の印刷処理中に流れる音楽の音楽データを、記録媒体にダウンロードするダウンロード手段と、を具備することを特徴とする画像出力装置である。
【００１３】
第２の発明では、画像データを入力し、画像データを印刷し、印刷処理中に流れる音楽の音楽データを、記録媒体にダウンロードする。
【００１４】
第３の発明は、第１の発明、又は第２の発明の画像出力装置として機能させるプログラムである。
第４の発明は、第１の発明、又は第２の発明の画像出力装置として機能させるプログラムを記録した記録媒体である。
【００１５】
上述のプログラムをＣＤ−ＲＯＭ等の記録媒体に保持させて流通させてもよいし、このプログラムを通信回線を介して送受することもできる。
【００１６】
【発明の実施の形態】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１７】
最初に、図１を参照しながら、本発明の実施の形態に係る画像プリントシステム１００の構成について説明する。
図１は、画像プリントシステム１００の構成を示すブロック図である。
【００１８】
図１は、画像プリントシステムの１例であり、図１に示すように、画像プリントシステム１００は、画像出力装置１０１等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６、音楽コンテンツ提供手段１１７等を備える。
【００１９】
画像データ読込書込手段１１１は、被写体１２１をデジタルカメラ等の撮像装置により撮像したり、原稿１２２をスキャナ装置等の原稿読取装置により読み取ったり、予め画像データが記録された記録媒体１２３から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、ＳＤカード、メモリースティック、フロッピー（登録商標）ディスク、ＰＣカード、ＣＤ−ＲＯＭ等である。
【００２０】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２１】
プリント手段１１４は、高解像度カラープリンタである。昇華型あるいはインクジェット型などの方式は問わない。プリント物１２４は、プリント出力された撮像による証明写真、デジタルカメラ画像等による写真、シールプリント、はがき等である。
【００２２】
注文内容入力手段１１５により利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２３】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２４】
音楽コンテンツ提供手段１１７は、音楽コンテンツの曲目を表示し、スピーカ等から音楽を流す。また、流れる音楽コンテンツの音楽データを、利用者が有する記録媒体１２３にダウンロード（保持）する。音楽コンテンツの音楽データは、ハードディスク等に、予め、記憶されている。
【００２５】
次に、図２を参照しながら、画像出力装置１０１の外観構成について説明する。
図２は、画像出力装置１０１の外観斜視図である。
【００２６】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００２７】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。これらのメディア挿入口２０２、スキャナ面２０３、レンズ窓２０４は、画像データ読込書込手段１１１の一部を構成する。
【００２８】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００２９】
また、画像出力装置１０１の筐体内には上記各記録媒体の挿入口に対応して、それぞれの読取書込装置の本体が設置されている。各挿入口には、手数料の徴収が完了するまで記録媒体を取り出せないように、シャッタ（図示しない）を備えても良い。
【００３０】
画像出力装置１０１の下段部には、料金投入口（硬貨投入口２０５、紙幣挿入口２０６）、返却レバー２０７、返却口２０８、レシート取出口２０９、プリント物取出口２１０、スピーカ２１１、メインテナンスキー２１２、ドア開閉キー２１３等がそれぞれ配置されている。
【００３１】
料金投入口（硬貨投入口２０５、紙幣挿入口２０６）、返却レバー２０７、返却口２０８、レシート取出口２０９は、課金手段１１６の一部を構成する。
顧客は、硬貨投入口２０５に硬貨を投入したり、紙幣挿入口２０６に紙幣を挿入することにより料金を支払う。釣銭がある場合には返却口２０８から放出されるので、それを受け取れる。また、注文を取りやめる場合や硬貨が詰まった時には硬貨返却レバー２０７を回すことにより返却口２０８から放出されるので、それを受け取れる。
料金を徴収した後、レシート取出口２０９から徴収した金額や注文内容が印刷されたレシートが放出される。
【００３２】
プリント物取出口２１０は、プリント手段１１４の一部を構成する。利用者は、タッチパネルボタンに触れるなどしてプリント実行を指示した後、プリント物取出口２１０から放出されるプリント物１２４を受け取る。
スピーカ２１１は、待機中や操作中に音声、ＢＧＭ、効果音などを再生する。
【００３３】
メンテナンスキー２１２は、利用者を受け付けることのできる通常の運転モードと、管理者が画像プリントシステムの設定やメンテナンスを行う管理モードを切り替えるキーである。
【００３４】
また、外観からは明確に認識できないが、ポスト型画像出力装置１０１の筐体内には、ポスト型画像出力装置１０１の各構成部分を制御するための制御部を含むパソコンや、電圧の変換を行う電源ボックス、停電時に制御部のＣＰＵやハードディスク等の破損を防ぐ無停電電源装置等が設置される。
【００３５】
次に、図３を参照しながら、画像出力装置１０１の概略構成について説明する。
図３は、画像出力装置１０１のハードウェア構成図である。
【００３６】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３、音源部３１４等が、バス３１６を介して接続される。
【００３７】
制御部３０１は、ＣＰＵ、ＲＯＭ、ＲＡＭ等で構成され、大容量記憶媒体としてのハードディスク３０２に格納されたプログラムに従って、バス３１６を介して接続された各装置を駆動制御する。
【００３８】
ハードディスク３０２には、各構成部分を駆動制御するプログラム、例えば各記録媒体１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３、更に、音楽コンテンツ提供手段１１７で提供する音楽データ、画像データの内容認識プログラム等が格納されている。
【００３９】
これらの各プログラムコードは、制御部３０１により必要に応じて読み出されてＲＡＭに移され、ＣＰＵに読み出されて各種の手段として実行される。
【００４０】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４１】
デジタルカメラ３０５、スキャナ３０６、各種メディア読取書込部３０７（１〜ｎ）は、画像データ読込書込手段１１１に相当する。
シャッタ３０８は、記録媒体挿入口に設けられ、当該記録媒体挿入口を開閉し、読取処理の最中に記録媒体を取り出せないようにしたり、課金処理が完了するまで記録媒体を取り出せないようにすることができる。
【００４２】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４３】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
音源部３１４は、画像プリントシステム１００が稼働中に音楽等（ＢＧＭ）をスピーカ２１１から流す部分であり、ハードディスク３０２に記憶された音楽を流す。また、後述するように、利用者が持参した記録媒体（ＣＤ、ＭＤなど）に音楽データを記憶する。
【００４４】
次に、図４を参照しながら、画像出力装置１０１の動作について説明する。
図４は、画像出力装置１０１の動作を示すフローチャートである。
【００４５】
画像出力装置１０１の制御部３０１は、サービスの内容、手順、案内等を示すメニュー画面を、モニタ３０９のモニタ画面２０１に表示し、利用者に機能選択させる。（ステップ４０１）。
【００４６】
制御部３０１は、各種メディア３０７、スキャナ３０６、デジタルカメラ３０５等のいすれかを介して、画像データを取得する（ステップ４０２）。利用者は、画像データの入力に際し、記録媒体１２３からの読み取り、スキャナからの読み取り、撮像装置（デジタルカメラ等）による被写体の撮像等の方法を選択する。
【００４７】
制御部３０１（画像処理プログラム）は、利用者の指示に基づいて、画像の加工、編集、合成等を行う（ステップ４０３）。画像の加工、編集、合成は、例えば、入力画像データ同士、フレーム画像、既存画像等の合成、塗色、文字入力、移動、拡大・縮小、はがきデータ作成等である。
【００４８】
制御部３０１は、利用者の注文内容（出力形態（写真プリント、シールプリント、インデックスプリント、はがきプリント等）、プリント枚数等）に応じて、課金処理、レシート発行処理を行う（ステップ４０４）。
【００４９】
制御部３０１（画像処理プログラム）は、色修正、リサイズ、トリミング、レイアウト、文字・ロゴ合成等の画像処理を行い（ステップ４０５）、画像処理した画像データをハードディスク３０２に保持し（ステップ４０６）、出力可能状態となったプリンタ装置に当該画像データを転送し、印刷出力処理を行う印刷処理プロセスを起動する（ステップ４０７）。
【００５０】
印刷処理プロセスによる印刷出力が終了するまで（ステップ４０９のＮｏ）、制御部３０１は、音源部３１４を介して、プリント注文内容（プリント枚数、プリント料金等）に応じた音楽コンテンツを提供する（ステップ４０８）。例えば、制御部３０１は、２０枚印刷する場合、２０枚のプリント物印刷中、数種類の音楽（曲目）から、利用者が選択した音楽を、スピーカ２１１から流す。
【００５１】
画像プリントシステム１００の稼働を続ける場合（ステップ４１０のＮｏ）、制御部３０１は、ステップ４０１〜ステップ４０９までの処理を繰り返す。
【００５２】
次に、ステップ４０８のプリント注文内容に応じた音楽コンテンツ提供処理について詳しく説明する。
図５、図６は、プリント注文内容に応じた音楽コンテンツ提供処理の処理手順を示すフローチャートである。
【００５３】
図５に示すように、制御部３０１は、プリント注文内容（プリント枚数、プリント料金等）に応じて音楽コンテンツを提供しない場合（ステップ５０１のＮｏ）、ステップ４０９へ進む。
例えば、プリント枚数１〜５枚の場合、サービスレベル：０とし、プリント物印刷中、音楽を提供しない。
【００５４】
制御部３０１は、プリント注文内容（プリント枚数、プリント料金等）に応じて音楽コンテンツを提供するが（ステップ５０１のＹｅｓ）、プリント注文内容に応じて音楽（曲目）を選択可能でない場合（ステップ５０２のＮｏ）、モニタ３０９のモニタ画面２０１に決まっている音楽の曲目を表示し、ハードディスク３０２から該当する音楽データを読み出し、音源部３１４から流し（ステップ５０３）、ステップ４０９へ進む。
例えば、プリント枚数６〜１０枚の場合、サービスレベル：１とし、プリント物印刷中、決まった音楽がスピーカ２１１より流れる。
【００５５】
音楽（曲目）を選択可能で（ステップ５０２のＹｅｓ）、プリント物の内容による音楽自動選択可能でない場合（ステップ５０４のＮｏ）、制御部３０１は、モニタ３０９のモニタ画面２０１に音楽選択画面７００を表示し（ステップ５０５）、利用者が曲目７０８を選択し、決定ボタン７０７を押すと（ステップ５０６）、制御部３０１は、ハードディスク３０２から、選択された曲目７０８に該当する音楽データを読み出し、音源部３１４より流す（ステップ５０７）。
【００５６】
図７は、音楽選択画面７００を示す。図７に示すように、音楽選択画面７００は、プリント注文内容であるプリント枚数７０１、料金７０２、プリント注文内容に応じたサービスレベル７０３、マイメロディ登録ボタン７０４、マイメロディ再生ボタン７０５、ダウンロードボタン７０６、決定ボタン７０７、選択可能な複数の曲目７０８等からなる。マイメロディ登録ボタン７０４は、流れている音楽が気に入れば、モニタ３０９のタッチパネルから暗証番号を入力し、ハードディスク３０２に登録する。マイメロディ再生ボタン７０５は、マイメロディ登録ボタン７０４により登録した音楽を、モニタ３０９のタッチパネルから暗証番号を入力することにより再生する。ダウンロードボタン７０６は、流れている音楽が気に入れば、各種メディア３０７を介して、所持している記録媒体１２３にダウンロード（保持）する。
例えば、プリント枚数１１枚から２０枚の場合、サービスレベル７０３：２とし、複数種類の曲目７０８を表示し、選択された曲目７０８の音楽が、スピーカ２１１より流れる。
【００５７】
また、プリント物の内容による音楽自動選択可能な場合（ステップ５０４のＹｅｓ）、制御部３０１（画像データ内容認識プログラム）は、印刷中のプリント物の画像データの内容認識処理を行う（ステップ５０８）。
【００５８】
内容認識処理の結果、プリント物（画像データ）に特徴が見つからなかった場合（ステップ５０９のＮｏ）、制御部３０１は、ステップ５０５に移行し、モニタ画面２０１に音楽選択画面７００を表示し、複数の曲目７０８から選択された音楽を流す処理へ移行する。
内容認識処理の結果、プリント物（画像データ）に何らかの特徴がある場合（ステップ５０９のＹｅｓ）、制御部３０１は、その特徴に応じた音楽を選択し（ステップ５１０）、モニタ画面２０１に音楽自動選択画面８００を表示する（ステップ５１１）。制御部３０１は、選択された音楽の音楽データをハードディスク３０２から読み出し、音源部３１４からその音楽が流れる（ステップ５１２）。
【００５９】
図８は、音楽自動選択画面８００を示す。図８に示すように、音楽自動選択画面８００は、プリント注文内容であるプリント枚数７０１、料金７０２、プリント注文内容に応じたサービスレベル７０３、マイメロディ登録ボタン７０４、マイメロディ再生ボタン７０５、ダウンロードボタン７０６、決定ボタン７０７、曲目７０８等からなる。
例えば、プリント枚数３０枚以上の場合、サービスレベル７０３：４とし、子供を中心とした写真を印刷している場合、ディズニーの音楽を自動的に選曲（例えば、曲目７０８：”小さな世界”）し、曲目７０８を表示し、その音楽を流す。
【００６０】
図６に示すように、利用者がダウンロードボタン７０６を選択し、プリント注文内容に応じてダウンロード機能が有効である場合（ステップ６０１のＹｅｓ）、制御部３０１は、ハードディスク３０２に記憶されており、流れた当該音楽データを、各種メディア３０７を介して、利用者が所持する記録媒体１２３にダウンロード（保持）する（ステップ６０２）。
例えば、プリント枚数２１枚から３０枚のサービスレベル７０３：３の場合、無料でダウンロードを可能とし、流れている音楽が気に入れば、ダウンロードボタン７０６を押すことにより、その音楽データを記録媒体１２３にダウンロード（保持）する。
【００６１】
利用者がマイメロディ登録ボタン７０４を選択し、プリント注文内容に応じてマイメロディ登録機能が有効である場合（ステップ６０３のＹｅｓ）、制御部３０１は、モニタ画面２０１にマイメロディ登録画面９００を表示する（ステップ６０４）。
【００６２】
図９は、マイメロディ登録画面９００を示す。マイメロディ登録画面９００は、流れた当該音楽の曲目７０８、暗証番号９０１の入力欄、テンキー９０２、決定ボタン７０３等からなる。
利用者は、テンキー９０２により暗証番号９０１を入力し、制御部３０１は、当該曲目７０８の音楽データをハードディスク３０２に登録（保持）する（ステップ６０５）。
例えば、プリント枚数３０枚以上のサービスレベル７０３：４の場合、マイメロディ登録を可能とし、流れている音楽が気に入れば、マイメロディ登録ボタン７０４を押し、暗証番号を入力することにより、マイメロディとして登録できる。
【００６３】
前回利用した際、登録した音楽を視聴したい場合、利用者がマイメロディ再生ボタン７０５を選択し、プリント注文内容に応じてマイメロディ再生機能が有効である場合（ステップ６０６のＹｅｓ）、制御部３０１は、マイメロディ登録画面８００と同様な形式の、モニタ画面２１１にマイメロディ再生画面（図示せず）を表示する（ステップ６０７）。
利用者は、テンキー９０２により登録時の暗証番号９０１を入力し、制御部３０１は、該当する曲目７０８の音楽データをハードディスク３０２から読み出し、再生する（ステップ６０８）。
例えば、プリント枚数１１枚以上のサービスレベル７０３：２以上の場合、マイメロディ再生を可能とし、マイメロディ登録ボタン７０４を押し、暗証番号を入力することにより、登録したマイメロディの音楽を再生し、再度、視聴できる。
【００６４】
以上説明したように、本発明の実施の形態によれば、画像出力装置１０１は、プリント注文内容（プリント枚数、料金等）に応じて印刷処理中に生じる利用者の待ち時間に、音楽コンテンツを提供可能とし、また、流れる音楽が気に入った場合、該当する音楽データを利用者が有する記録媒体にダウンロードしたり、暗証番号を入力し、個人のマイメロディ登録し、マイメロディ再生を行うことにより、印刷処理中の待ち時間に、利用者に快適性をもたらすとともに、プリント以外の楽しさを提供することを可能とする。
【００６５】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６６】
【発明の効果】
以上、詳細に説明したように本発明によれば、プリント時の待ち時間に音楽コンテンツを提供する画像プリントシステムを提供することができる。
【図面の簡単な説明】
【図１】画像プリントシステム１００の構成を示すブロック図
【図２】画像出力装置１０１の外観斜視図
【図３】画像出力装置１０１のハードウェア構成図
【図４】画像出力装置１０１の動作を示すフローチャート
【図５】画像出力装置１０１の音楽コンテンツ提供処理の動作を示すフローチャート
【図６】画像出力装置１０１の音楽コンテンツ提供処理の動作を示すフローチャート
【図７】音楽選択画面７００を示す図
【図８】音楽自動選択画面８００を示す図
【図９】マイメロディ登録画面９００を示す図
【符号の説明】
１００………画像プリントシステム
１０１………画像出力装置
１１１………画像データ読込書込手段
１１２………画像編集合成手段
１１３………素材データベース
１１４………プリント手段
１１５………注文内容入力手段
１１６………課金手段
１１７………音楽コンテンツ提供手段
【図１】
2004328438.tif 000003
【図２】
2004328438.tif 000004
【図３】
2004328438.tif 000005
【図４】
2004328438.tif 000006
【図５】
2004328438.tif 000007
【図６】
2004328438.tif 000008
【図７】
2004328438.tif 000009
【図８】
2004328438.tif 000010
【図９】
2004328438.tif 000011